(57)【特許請求の範囲】
【請求項１】
両端の固定歯と複数の櫛歯を列状に配置した櫛歯体を装着した櫛付き塗布容器であって、
櫛歯の先端部に穿設した吐出口から根本部の間で、櫛歯および固定歯の互いに対向する平面に、櫛歯が根本部から延びる方向に対して垂直な横方向に延びる突条と溝とからなる凹凸面を設けたことを特徴とする櫛付き塗布容器。
【請求項２】
塗布剤が、染毛剤であることを特徴とする請求項１記載の櫛付き塗布容器。
【発明の詳細な説明】
【技術分野】
【０００１】
本発明は、櫛付き塗布容器、とくに櫛付き塗布容器に装着する櫛歯体に関するものである。
【背景技術】
【０００２】
櫛付き塗布容器において、櫛歯の先端部分における内容液保持性を向上させるために櫛歯の両面に注出口を設け、それより先端部分の櫛歯面に複数の溝と突条を交互に配設して凹凸面を形成した櫛付キャップは、従来より知られている（例えば、特許文献１参照）。
【０００３】
また、内容液の保持能力を大きくするとともに、毛髪の毛先まで満遍なく塗布するため、櫛歯の両面に吐出口を設け、櫛歯の両側周縁に間隔をおいて、複数の突出部を形成した毛髪用塗布剤の塗布櫛も、従来より知られている（例えば、特許文献２参照）。
［特許文献１］  特開２００１−２７５７３９号公報
【特許文献２】特開平１０−７５８１５号公報
【発明の開示】
【発明が解決しようとする課題】
【０００４】
しかしながら、上記特許文献１記載の櫛付キャップは、櫛付キャップを倒立させて使用するときに、櫛歯からの液垂れを防ぐことができるが、塗布時に頭皮に内容液が多く付き、毛髪が多いときには毛先に付きにくく、毛髪全体に満遍なく塗布することは簡単にできなかった。
【０００５】
また、特許文献２記載の塗布櫛は、毛髪全体に満遍なく塗布することはできるが、保持具が櫛歯の側部周縁であるので、櫛歯の両面の間には保持されず、保持能力を多くできなかった。
【０００６】
本発明は、上記の問題を解決することを課題とし、塗布液の保持能力を高めるとともに、毛髪の毛先にも満遍なく塗布できるようにした染毛剤等の櫛付き塗布容器を提供することを目的とする。
【課題を解決するための手段】
【０００７】
本発明は、上記の課題を解決するため、櫛付き塗布容器として、両端の固定歯と複数の櫛歯を列状に配置した櫛歯体を装着した櫛付き塗布容器であって、櫛歯の先端部に穿設した吐出口から根本部の間で、櫛歯および固定歯の互いに対向する平面に、櫛歯が根本部から延びる方向に対して垂直な横方向に延びる突条と溝とからなる凹凸面を設けたことを特徴とする構成を採用する。
また、塗布剤として、染毛剤を採用する。
【発明の効果】
【０００８】
櫛歯の先端部に、吐出口を設け、櫛歯の両面に吐出口から根本部にかけて突条と溝とからなる凹凸面を設けたから、染毛剤、その他の塗布剤の保持能力が高くなり、また、余分についた塗布剤を取り除くことができるので、毛髪の根本部から先端部まで、むらなく塗布剤を塗布することができるようになった。
染毛剤の塗布に用いるときには、染めむらがなくなり、染毛効果がよくなった。
【発明を実施するための最良の形態】
【０００９】
次に、本発明の櫛付き塗布容器について実施例をあげ、図面を参照して説明する。
【実施例１】
【００１０】
図１、２において、Ａは染毛剤、その他毛髪用塗布剤を収納した容器、Ｂは容器Ａに取着された櫛体である。
容器Ａは、口筒部１と肩部２、胴部３と底部からなり、口筒部１には、ねじ４が螺設されている。
容器Ａは合成樹脂によって形成され、胴部３は可撓性を有しており、スクイズ可能となっている。
【００１１】
櫛体Ｂは、取付台１０と、取付台１０に立設された櫛歯体１１とからなっている。
取付台１０は、円筒体１２と上壁１３とからなり、円筒体１２の内周には、口筒部１のねじ４が螺合するねじ１４が螺設されている。
円筒体１２に沿って、その内側には、上壁１３下面より短い長さの密封リング１５が垂設されており、上壁１３の上面には、櫛歯体１１の櫛基台１６が立設されている。
【００１２】
櫛歯体１１は、櫛基台１６の上面に設けられた支持板１７、その両端に設けられた固定歯１８、および支持板１７に取着された櫛歯列１９とからなっており、櫛基台１６内部は、液通路２０となっている。
櫛歯列１９は、根本部を連結部２１とした複数の櫛歯２２からなり、各櫛歯２２の根本端２２ａは、支持板１７の取付孔に嵌挿されている。
【００１３】
各櫛歯２２には、液通路２０に連通する流出孔２３が穿設されており、櫛歯２２先端近くには、流出孔２３に続いて、両側の側面２４に開口する吐出口２５が穿設されている。
【００１４】
図１〜３に示すように、固定歯１８の内側の側面と各櫛歯２２の両側の側面２４には、吐出口２５から櫛歯２２の根本部、すなわち連結部２１近くまで横方向に伸びる突条２６と溝とからなる凹凸面２７が設けられており、突条２６の高さは１．０〜２．０ｍｍ前後であり、溝巾は０．５〜１．０ｍｍ前後としている。
【００１５】
突条２６の高さ、溝巾は、櫛歯２２の間隔、塗布剤に応じて調整することができる。
また、凹凸面は、吐出口２５から根本部までの間で連続して設けてもよく、間隔をおいて設けてもよい。
【００１６】
次に、本実施例塗布容器の作用効果について説明する。
本実施例塗布容器は、染毛剤、その他の毛髪用塗布剤の塗布容器として使用され、染毛用に使用する場合には、容器Ａ内に、二液の染毛剤が混合収納される。
【００１７】
塗布容器の使用にあたっては、従来のものと同様に、櫛歯体１１を毛髪に当接して塗布する。
その際、櫛歯２２の側面２４に、吐出口２５から櫛歯２２の根本部にかけて凹凸面２７を設けたから、吐出された塗布剤が凹凸面２７によって保持され、凹凸面２７の突条２６の高さを１．０〜２．０ｍｍ前後、溝巾を０．５〜１．０ｍｍ前後としたので、必要な保持力を得ることができる。
【００１８】
また、凹凸面２７により、余分な塗布剤を取り除くこともでき、毛髪の根本から先端まで、満遍なく塗布することができる。
とくに、染毛剤の塗布に使用する場合には、染めむらもなく、染毛効果をあげることができる。
【００１９】
上記実施例では、櫛歯列１９を別体として櫛基台１６に取着するようにしているが、櫛歯列１９を含めて、櫛体Ｂを一体成形してもよい。
【実施例２】
【００２０】
次に、櫛歯が容器の軸方向に対して横方向に延びる第２実施例について説明する。
図４、５において、Ａａは染毛剤を収納した容器、Ｂａは容器口部に装着された櫛体である。
容器Ａａは、櫛体Ｂａを取着する口部と、胴部３０を具えており、胴部３０は可撓性を有し、スクイズ可能となっている。  
【００２１】
櫛体Ｂａは、取付台３１と、取付台３１に立設された櫛基体３２とを具えている。
櫛基体３２は、内部に液通路３３が穿孔され、上下端の固定歯３４ａ、３４ｂの間に櫛歯列３５が取着されている。
櫛歯列３５は、根本部を連結部３６とした複数の櫛歯３７からなっており、櫛歯３７の内部には、液通路３３に連通する流出孔３８が穿孔されており、櫛歯３７の先端近くには、両側の側面に開口する吐出口３９が穿設されている。
【００２２】
固定歯３４ａ、３４ｂの内側の側面、櫛歯３７の両側の側面には、吐出口３９から櫛歯３７の連結部３６近くまで、横方向に延びる突条４０と溝からなる凹凸面４１が形成されている。
【００２３】
突条４０の高さは、１．０〜２．０ｍｍ前後、溝巾は０．５〜１．０mm前後としており、突条４０の高さ、溝巾、凹凸面４１の位置は、第１実施例と同様に調節することができる。
【００２４】
本実施例は、櫛歯３７の側面に凹凸面４１を設けているので、第１実施例と同様の作用効果を得ることができ、さらに、エアゾール容器にも取着することができるので、染毛剤だけでなく、毛髪用塗布容器として広く利用することができる。
【産業上の利用可能性】
【００２５】
本発明は、櫛歯の間に塗布剤を保持し、毛髪の根本から先端までほぼ一様に満遍なく塗布することができるから、とくに染毛剤の塗布容器として有効であり、また、各種の毛髪用塗布容器として広く利用できる。
【図面の簡単な説明】
【００２６】
【図１】本発明第１実施例塗布容器の断面立面図である。
【図２】塗布容器の一部断面側面図である。
【図３】櫛歯の説明図で、（ａ）は断面図、（ｂ）は側面図である。
【図４】第２実施例の塗布容器の断面立面図である。
【図５】要部の拡大図である。
【符号の説明】
【００２７】
Ａ、Ａａ      容器
Ｂ、Ｂａ      櫛体
１            口筒部
２            肩部
３、３０      胴部
４、１４      ねじ
１０、３１    取付台
１１、３２    櫛歯体
１２          円筒体
１３          上壁
１５          密封リング
１６          櫛基台
１７          支持板
１８          固定歯
１９、３５    櫛歯列
２０、３３    液通路
２１、３６    連結部
２２、３７    櫛歯
２２ａ        根本端
２３、３８    流出孔
２４          側面
２５、３９    吐出口
２６、４０    突条
２７、４１    凹凸面
３４ａ、ｂ    固定歯
【図１】
0004749776.tif 000002
【図２】
0004749776.tif 000003
【図３】
0004749776.tif 000004
【図４】
0004749776.tif 000005
【図５】
0004749776.tif 000006